(57)【要約】【課題】対象者の移動経路上において、その行動様式に合わせた広告が可能な広告配信システムおよび広告配信方法を提供する。【解決手段】本発明は、原画となる動画およびディスプレイ装置の設置環境に関する各情報を各検索キーと関連付けて蓄積した情報データベース手段と、広告の提供意図について顧客端末から依頼情報を電気通信回線を通じて受信し、この依頼情報から検索キーを収集して顧客情報と関連付けつつ登録する依頼受付手段と、各検索キーによって、広告データベースの各情報を検索することにより、特定の動画から特定のディスプレイ装置に適した複数の画像フレームを構成して、特定の顧客情報と関連付けた広告情報を編成する画像編成手段と、依頼情報に基づく特定のタイミングに合わせて、顧客のための広告情報を電気通信回線を通じて各ディスプレイ装置に送信する画像送信手段とを有している。【選択図】  図１
2005003966.tif 000002
【特許請求の範囲】
【請求項１】
広告の媒体となるディスプレイ装置を対象者の移動経路上において各所に設置し、対象者の行動様式に合わせて、動画に関する広告情報を各ディスプレイ装置に配信する広告配信システムであって、
原画となる動画およびディスプレイ装置の設置環境に関する各情報を動画または設置環境の検索キーと関連付けて蓄積した情報データベース手段と、
広告の提供意図について顧客端末から依頼情報を電気通信回線を通じて受信するとともに、この依頼情報から前記検索キーを収集して顧客情報と関連付けつつ登録する依頼受付手段と、
前記依頼受付手段の検索キーによって、広告データベースの各情報を検索することにより、特定の動画から特定のディスプレイ装置に適した複数の画像フレームを構成して、特定の顧客情報と関連付けた広告情報を編成する画像編成手段と、
前記依頼情報に基づく特定のタイミングに合わせて、当該顧客のための広告情報を電気通信回線を通じて各ディスプレイ装置に送信する画像送信手段とを有していることを特徴とする広告配信システム。
【請求項２】
前記ディスプレイ装置は、対象者の移動にともなう錯視効果により、複数の画像フレームに関する広告情報を動画として認識させるものであることを特徴とする請求項１に記載の広告配信システム。
【請求項３】
前記ディスプレイ装置は、薄膜状に形成した有機エレクトロルミネッセンスパネル、液晶パネルまたはプラズマディスプレイをスクリーンとしたものであることを特徴とする請求項１または請求項２に記載の広告配信システム。
【請求項４】
前記対象者は、交通機関の搭乗者であって、路線わきのディスプレイ装置に配信された広告を当該交通機関の運行にともなって眺めていることを特徴とする請求項１乃至請求項３のいずれか記載の広告配信システム。
【請求項５】
前記対象者は、通行人であって、当該通行人の移動にともなって、通路わきのディスプレイ装置に配信された広告を眺めていることを特徴とする請求項１乃至請求項４のいずれかに記載の広告配信システム。
【請求項６】
広告の媒体となるディスプレイ装置を対象者の移動経路上において各所に設置し、対象者の行動様式に合わせて、動画に関する広告情報を各ディスプレイ装置に配信する広告配信方法であって、
原画となる動画およびディスプレイ装置の設置環境に関する情報を各検索キーと関連付けて蓄積した広告データベースステップと、
広告の提供意図について顧客端末から依頼情報を電気通信回線を通じて受信するとともに、この依頼情報から前記検索キーを収集して顧客情報と関連付けつつ登録する依頼受付ステップと、
前記依頼受付ステップにおける検索キーによって、広告データベースの各情報を検索することにより、特定の動画から特定のディスプレイ装置に適した複数の画像フレームを構成して、特定の顧客情報と関連付けた広告情報を編成する画像編成ステップと、
前記依頼情報に基づく特定のタイミングに合わせて、当該顧客のための広告情報を電気通信回線を通じて各ディスプレイ装置に送信する画像送信ステップとを有していることを特徴とする広告配信方法。
【請求項７】
前記ディスプレイ装置は、対象者の移動にともなう錯視効果によって広告情報を動画として認識させるものであることを特徴とする請求項６に記載の広告配信方法。
【請求項８】
前記ディスプレイ装置は、薄膜状に形成した有機エレクトロルミネッセンスパネル、液晶パネルまたはプラズマディスプレイをスクリーンとしたものであることを特徴とする請求項６または請求項７に記載の広告配信方法。
【請求項９】
前記対象者は、交通機関の搭乗者であって、路線わきのディスプレイ装置に配信された広告を当該交通機関の運行にともなって眺めていることを特徴とする請求項６乃至請求項８のいずれかに記載の広告配信方法。
【請求項１０】
前記対象者は、通行人であって、当該通行人の移動にともなって、通路わきのディスプレイ装置に配信された広告を眺めていることを特徴とする請求項６乃至請求項９のいずれかに記載の広告配信方法。
【請求項１１】
広告の媒体となるディスプレイ装置を対象者の移動経路上において各所に設置し、対象者の行動様式に合わせて、動画に関する広告情報を各ディスプレイ装置に配信する広告配信システムであって、
原画となる動画およびディスプレイ装置の設置環境に関する各情報を動画または設置環境の検索キーと関連付けて蓄積した情報データベース手段と、
広告の提供意図について顧客端末から依頼情報を電気通信回線を通じて受信するとともに、この依頼情報から前記検索キーを収集して顧客情報と関連付けつつ登録する依頼受付手段と、
前記依頼受付手段の検索キーによって、広告データベースの各情報を検索することにより、特定の動画から特定のディスプレイ装置に適した複数の画像フレームを構成して、特定の顧客情報と関連付けた広告情報を編成する画像編成手段と、
前記依頼情報に基づく特定のタイミングに合わせて、当該顧客のための広告情報を電気通信回線を通じて各ディスプレイ装置に送信する画像送信手段と、
前記動画および設置環境の各検索キーならびに送信のタイミングに各経理情報を関連付けることにより、特定の顧客が依頼した広告に関する会計情報について当該顧客端末との決済処理を行う会計手段とを有していることを特徴とする広告配信システム。
【請求項１２】
前記ディスプレイ装置は、対象者の移動にともなう錯視効果によって広告情報を動画として認識させるものであることを特徴とする請求項１１に記載の広告配信システム。
【請求項１３】
前記ディスプレイ装置は、薄膜状に形成した有機エレクトロルミネッセンスパネル、液晶パネルまたはプラズマディスプレイをスクリーンとしたものであることを特徴とする請求項１１または請求項１２に記載の広告配信システム。
【請求項１４】
前記対象者は、交通機関の搭乗者であって、路線わきのディスプレイ装置に配信された広告を当該交通機関の運行にともなって眺めていることを特徴とする請求項１１乃至請求項１３のいずれかに記載の広告配信システム。
【請求項１５】
前記対象者は、通行人であって、当該通行人の移動にともなって、通路わきのディスプレイ装置に配信された広告を眺めていることを特徴とする請求項１１乃至請求項１４のいずれかに記載の広告配信システム。
【請求項１６】
広告の媒体となるディスプレイ装置を対象者の移動経路上において各所に設置し、対象者の行動様式に合わせて、動画に関する広告情報を各ディスプレイ装置に配信する広告配信方法であって、
原画となる動画およびディスプレイ装置の設置環境に関する情報を各検索キーと関連付けて蓄積した広告データベースステップと、
広告の提供意図について顧客端末から依頼情報を電気通信回線を通じて受信するとともに、この依頼情報から前記検索キーを収集して顧客情報と関連付けつつ登録する依頼受付ステップと、
前記依頼受付ステップにおける検索キーによって、広告データベースの各情報を検索することにより、特定の動画から特定のディスプレイ装置に適した複数の画像フレームを構成して、特定の顧客情報と関連付けた広告情報を編成する画像編成ステップと、
前記依頼情報に基づく特定のタイミングに合わせて、当該顧客のための広告情報を電気通信回線を通じて各ディスプレイ装置に送信する画像送信ステップと、前記動画および設置環境の各検索キーならびに送信のタイミングに各経理情報を関連付けることにより、特定の顧客が依頼した広告に関する会計情報について当該顧客端末との決済処理を行う会計ステップとを有していることを特徴とする広告配信方法。
【請求項１７】
前記ディスプレイ装置は、対象者の移動にともなう錯視効果によって広告情報を動画として認識させるものであることを特徴とする請求項１６に記載の広告配信方法。
【請求項１８】
前記ディスプレイ装置は、薄膜状に形成した有機エレクトロルミネッセンスパネル、液晶パネルまたはプラズマディスプレイをスクリーンとしたものであることを特徴とする請求項１６または請求項１７に記載の広告配信方法。
【請求項１９】
前記対象者は、交通機関の搭乗者であって、路線わきのディスプレイ装置に配信された広告を当該交通機関の運行にともなって眺めていることを特徴とする請求項１６乃至請求項１８のいずれかに記載の広告配信方法。
【請求項２０】
前記対象者は、通行人であって、当該通行人の移動にともなって、通路わきのディスプレイ装置に配信された広告を眺めていることを特徴とする請求項１６乃至請求項１９のいずれかに記載の広告配信方法。
【請求項２１】
請求項６乃至請求項１０、または請求項１６乃至請求項２０のいずれかに記載の広告配信方法をコンピューターに実行させるためのプログラム。
【請求項２２】
請求項６乃至請求項１０、または請求項１６乃至請求項２０のいずれかに記載の広告配信方法をコンピューターに実行させるためのプログラムが記録されていることを特徴とするコンピューター読み取り可能な記録媒体。
【発明の詳細な説明】
【０００１】
【発明の属する技術分野】
本発明は、広告配信システムおよび広告配信方法に関し、たとえば、対象者の行動様式に合わせて効果的な広告の配信を行わせるシステムおよび広告配信方法に適用することができる。
【０００２】
【従来の技術】
従来から、繁華街の建物壁面に広告用の大型ディスプレイを設置することが行われ、このような大型ディスプレイに対して、複数種類の広告情報を時間ごとに入れ替えつつ配信する広告配信技術が知られている。たとえば、駅構内の通路や地下鉄のプラットフォームなど交通施設において、特にラッシュアワー時の乗降客をターゲットにした広告配信システムがある。
【０００３】
【発明が解決しようとする課題】
ところが、上述したような従来技術においては、次のような課題があった。
▲１▼地下鉄構内など乗降客が頻繁に行き交う通路では、ほとんどの壁面に広告パネルなどのライセンスが既に設定しつくされている。したがって、新たな広告についてライセンスを希望したくても、各契約の期限切れまで５年から１０年も待たされるのが実情であった。
▲２▼また、乗降客は、多様な動機から各自の都合で広範囲の都市圏を移動しているのに、一つの壁面についてライセンスを取得すると、ターゲットにしたい乗降客が少ない時間帯についても使用料を支払わねばならない。そこで、広告の目的を最大限に達成しようとすると、都市圏全域について、いずれの主要駅に広告すべきか困難な判断を行わねばならなかった。
▲３▼しかも、広告効果を高めるために、線路間近にディスプレイ装置などを設置して動画広告を表示させようとすると、頻繁な電車の通過に伴う振動によりブラウン管などを破損したり、内部配線に断線を生じて映像が乱れたり、頻繁に動画が途切れたりしてしまうおそれがあった。
【０００４】
本発明は、上記事情に鑑みて為されたもので、対象者の移動経路上において、その行動様式に合わせた広告が可能な広告配信システムおよび広告配信方法を提供することを目的とする。
【０００５】
【課題を解決するための手段】
上記目的を達成するために、請求項１に記載の広告配信システムは、広告の媒体となるディスプレイ装置を対象者の移動経路上において各所に設置し、対象者の行動様式に合わせて、動画に関する広告情報を各ディスプレイ装置に配信する広告配信システムであって、
原画となる動画およびディスプレイ装置の設置環境に関する各情報を動画または設置環境の検索キーと関連付けて蓄積した情報データベース手段と、
広告の提供意図について顧客端末から依頼情報を電気通信回線を通じて受信するとともに、この依頼情報から前記検索キーを収集して顧客情報と関連付けつつ登録する依頼受付手段と、
前記依頼受付手段の検索キーによって、広告データベースの各情報を検索することにより、特定の動画から特定のディスプレイ装置に適した複数の画像フレームを構成して、特定の顧客情報と関連付けた広告情報を編成する画像編成手段と、
前記依頼情報に基づく特定のタイミングに合わせて、当該顧客のための広告情報を電気通信回線を通じて各ディスプレイ装置に送信する画像送信手段とを有していることを特徴とする。
【０００６】
請求項１に記載の発明においては、動画をソースデータとして、また、各ディスプレイ装置の設置環境を広告情報の配信条件として情報データベース手段に蓄積しておく。顧客端末から広告の提供意図を受信すると、依頼受付手段によって、その提供意図が解析されて所定の検索キーを収集する。これにより、各検索キーを用いて適切な動画およびディスプレイ装置が選択され、画像編成手段によって、各設置環境の特性に適した様式により、複数の画像フレームから配信用の広告情報が編成される。このような設置環境としては、たとえば、当該経路および装置のアドレス、装置性能、ディスプレイ装置と対象者との相対速度、単位区間における装置数、対象者トラフィックの推移などに関するデータが挙げられる。また、提供意図としては、ライセンス上の契約者、動画の分類、展示期間、合成などのための要素画像、また、広告がターゲットにしたい対象者について、通行時間帯、出発地域および行き先などの行動様式に関するデータが挙げられる。このように、あらかじめ対象者の行動様式を推定することにより、当該顧客の広告意図に適した設置環境のディスプレイ装置が選定され、動画が特定されて送信時刻など配信タイミングが設定される。広告情報が編成されると、画像送信手段により所定の配信タイミングで各ディスプレイ装置に配信される。
【０００７】
請求項２に記載の広告配信システムは、請求項１に記載の発明において、前記ディスプレイ装置は、対象者の移動にともなう錯視効果により、複数の画像フレームに関する広告情報を動画として認識させるものであることを特徴とする。
【０００８】
請求項２に記載の発明においては、対象者の移動経路わきに設置されたディスプレイ装置に広告情報が送信されると、そのスクリーンに複数の画像フレームが所定の形式によって展開される。対象者がスクリーンに沿って移動経路を通り過ぎるときに、各画像フレームが順に切り換わるように見えることにより、広告情報の内容が動画として認識される。対象者の移動を前提とし、その移動中に所定数の画像フレームが必ず対象者に視認されて動画が完結できる。日常生活で見慣れたテレビ、映画などの映像ではないイメージにより斬新さを演出できる。錯視効果の強いアピールにより対象者との遠近が問題になりにくく、また、このような新たなイメージに対しては、新規な広告媒体および編集方式の適用などが期待できる。
【０００９】
請求項３に記載の広告配信システムは、請求項１または請求項２に記載の発明において、前記ディスプレイ装置は、薄膜状に形成した有機エレクトロルミネッセンスパネル、液晶パネルまたはプラズマディスプレイをスクリーンとしたものであることを特徴とする。
【００１０】
請求項３に記載の発明においては、ディスプレイ装置のスクリーンが有機エレクトロルミネッセンスパネルなどからなり、広告情報が受信されると、複数の画像フレームが静止画としてスクリーン上に展開される。このときに、印刷媒体のようにスクリーンを薄膜化、大型化でき、かつ、動画そのものよりもきわめて少ない情報量の電気信号として容易に送信、展開させることができる。
【００１１】
請求項４に記載の広告配信システムは、請求項１乃至請求項３のいずれかに記載の発明において、前記対象者は、交通機関の搭乗者であって、路線わきのディスプレイ装置に配信された広告を当該交通機関の運行にともなって眺めていることを特徴とする。
【００１２】
請求項４に記載の発明においては、当該交通機関の路線を対象者の移動経路として搭乗者による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、交通機関を都市の動脈として日常的に利用する乗降客を対象者とすることができる。このような設置環境として、上りおよび下り区間、郊外および都心駅を区別することなどが挙げられる。
【００１３】
請求項５に記載の広告配信システムは、請求項１乃至請求項４のいずれかに記載の発明において、前記対象者は、通行人であって、当該通行人の移動にともなって、通路わきのディスプレイ装置に配信された広告を眺めていることを特徴とする。
【００１４】
請求項５に記載の発明においては、当該通路を対象者の移動経路として通行人による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、公共の通路や動く歩道などを日常的に利用する通行人を対象者とすることができる。このような設置環境として、往路および復路区間、出入口および屋内ロビーを区別することなどが挙げられる。
【００１５】
請求項６に記載の広告配信方法は、広告の媒体となるディスプレイ装置を対象者の移動経路上において各所に設置し、対象者の行動様式に合わせて、動画に関する広告情報を各ディスプレイ装置に配信する広告配信方法であって、
原画となる動画およびディスプレイ装置の設置環境に関する情報を各検索キーと関連付けて蓄積した広告データベースステップと、
広告の提供意図について顧客端末から依頼情報を電気通信回線を通じて受信するとともに、この依頼情報から前記検索キーを収集して顧客情報と関連付けつつ登録する依頼受付ステップと、
前記依頼受付ステップにおける検索キーによって、広告データベースの各情報を検索することにより、特定の動画から特定のディスプレイ装置に適した複数の画像フレームを構成して、特定の顧客情報と関連付けた広告情報を編成する画像編成ステップと、
前記依頼情報に基づく特定のタイミングに合わせて、当該顧客のための広告情報を電気通信回線を通じて各ディスプレイ装置に送信する画像送信ステップとを有していることを特徴とする。
【００１６】
請求項６に記載の発明においては、動画をソースデータとして、また、各ディスプレイ装置の設置環境を広告情報の配信条件として情報データベースステップで蓄積しておく。顧客端末から広告の提供意図を受信すると、依頼受付ステップにおいて、その提供意図が解析されて所定の検索キーを収集する。これにより、各検索キーを用いて適切な動画およびディスプレイ装置が選択され、画像編成ステップにおいて、各設置環境の特性に適した様式により、複数の画像フレームから配信用の広告情報が編成される。このような設置環境としては、たとえば、当該経路および装置のアドレス、装置性能、ディスプレイ装置と対象者との相対速度、単位区間における装置数、対象者トラフィックの推移などに関するデータが挙げられる。また、提供意図としては、ライセンス上の契約者、動画の分類、展示期間、合成などのための要素画像、また、広告がターゲットにしたい対象者について、通行時間帯、出発地域および行き先などの行動様式に関するデータが挙げられる。このように、あらかじめ対象者の行動様式を推定することにより、当該顧客の広告意図に適した設置環境のディスプレイ装置が選定され、動画が特定されて送信時刻など配信タイミングが設定される。広告情報が編成されると、画像送信ステップにおいて所定の配信タイミングで各ディスプレイ装置に配信される。
【００１７】
請求項７に記載の広告配信方法は、請求項６に記載の発明において、前記ディスプレイ装置は、対象者の移動にともなう錯視効果によって広告情報を動画として認識させるものであることを特徴とする。
【００１８】
請求項７に記載の発明においては、対象者の移動経路わきに設置されたディスプレイ装置に広告情報が送信されると、そのスクリーンに複数の画像フレームが所定の形式によって展開される。対象者がスクリーンに沿って移動経路を通り過ぎるときに、各画像フレームが順に切り換わるように見えることにより、広告情報の内容が動画として認識される。対象者の移動を前提とし、その移動中に所定数の画像フレームが必ず対象者に視認されて動画が完結できる。日常生活で見慣れたテレビ、映画などの映像ではないイメージにより斬新さを演出できる。錯視効果の強いアピールにより対象者との遠近が問題になりにくく、また、このような新たなイメージに対しては、新規な広告媒体および編集方式の適用などが期待できる。
【００１９】
請求項８に記載の広告配信方法は、請求項６または請求項７に記載の発明において、前記ディスプレイ装置は、薄膜状に形成した有機エレクトロルミネッセンスパネル、液晶パネルまたはプラズマディスプレイをスクリーンとしたものであることを特徴とする。
【００２０】
請求項８に記載の発明においては、ディスプレイ装置のスクリーンが有機エレクトロルミネッセンスパネルなどからなり、広告情報が受信されると、複数の画像フレームが静止画としてスクリーン上に展開される。このときに、印刷媒体のようにスクリーンを薄膜化、大型化でき、かつ、動画そのものよりもきわめて少ない情報量の電気信号として容易に送信、展開させることができる。
【００２１】
請求項９に記載の広告配信方法は、請求項６乃至請求項８のいずれかに記載の発明において、前記対象者は、交通機関の搭乗者であって、路線わきのディスプレイ装置に配信された広告を当該交通機関の運行にともなって眺めていることを特徴とする。
【００２２】
請求項９に記載の発明においては、当該交通機関の路線を対象者の移動経路として搭乗者による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、交通機関を都市の動脈として日常的に利用する乗降客を対象者とすることができる。このような設置環境として、上りおよび下り区間、郊外および都心駅を区別することなどが挙げられる。
【００２３】
請求項１０に記載の広告配信方法は、請求項６乃至請求項９のいずれかに記載の発明において、前記対象者は、通行人であって、当該通行人の移動にともなって、通路わきのディスプレイ装置に配信された広告を眺めていることを特徴とする。
【００２４】
請求項１０に記載の発明においては、当該通路を対象者の移動経路として通行人による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、公共の通路や動く歩道などを日常的に利用する通行人を対象者とすることができる。このような設置環境として、往路および復路区間、出入口および屋内ロビーを区別することなどが挙げられる。
【００２５】
請求項１１に記載の広告配信システムは、広告の媒体となるディスプレイ装置を対象者の移動経路上において各所に設置し、対象者の行動様式に合わせて、動画に関する広告情報を各ディスプレイ装置に配信する広告配信システムであって、
原画となる動画およびディスプレイ装置の設置環境に関する各情報を動画または設置環境の検索キーと関連付けて蓄積した情報データベース手段と、
広告の提供意図について顧客端末から依頼情報を電気通信回線を通じて受信するとともに、この依頼情報から前記検索キーを収集して顧客情報と関連付けつつ登録する依頼受付手段と、
前記依頼受付手段の検索キーによって、広告データベースの各情報を検索することにより、特定の動画から特定のディスプレイ装置に適した複数の画像フレームを構成して、特定の顧客情報と関連付けた広告情報を編成する画像編成手段と、
前記依頼情報に基づく特定のタイミングに合わせて、当該顧客のための広告情報を電気通信回線を通じて各ディスプレイ装置に送信する画像送信手段と、
前記動画および設置環境の各検索キーならびに送信のタイミングに各経理情報を関連付けることにより、特定の顧客が依頼した広告に関する会計情報について当該顧客端末との決済処理を行う会計手段とを有していることを特徴とする。
【００２６】
請求項１１に記載の発明においては、動画をソースデータとして、また、各ディスプレイ装置の設置環境を広告情報の配信条件として情報データベース手段に蓄積しておく。顧客端末から広告の提供意図を受信すると、依頼受付手段によって、その提供意図が解析されて所定の検索キーを収集する。これにより、各検索キーを用いて適切な動画およびディスプレイ装置が選択され、画像編成手段によって、各設置環境の特性に適した様式により、複数の画像フレームから配信用の広告情報が編成される。このような設置環境としては、たとえば、当該経路および装置のアドレス、装置性能、ディスプレイ装置と対象者との相対速度、単位区間における装置数、対象者トラフィックの推移などに関するデータが挙げられる。また、提供意図としては、ライセンス上の契約者、動画の分類、展示期間、合成などのための要素画像、また、広告がターゲットにしたい対象者について、通行時間帯、出発地域および行き先などの行動様式に関するデータが挙げられる。このように、あらかじめ対象者の行動様式を推定することにより、当該顧客の広告意図に適した設置環境のディスプレイ装置が選定され、動画が特定されて送信時刻など配信タイミングが設定される。広告情報が編成されると、画像送信手段により所定の配信タイミングで各ディスプレイ装置に配信される。そして、会計手段により、当該検索キーおよび送信タイミングから、定期的にまたは随時に経理情報が検索され、依頼広告の会計情報として顧客端末に報告され、かつ、顧客ごとに決済処理が行われる。
【００２７】
請求項１２に記載の広告配信システムは、請求項１１に記載の発明において、前記ディスプレイ装置は、対象者の移動にともなう錯視効果によって広告情報を動画として認識させるものであることを特徴とする。
【００２８】
請求項１２に記載の発明においては、対象者の移動経路わきに設置されたディスプレイ装置に広告情報が送信されると、そのスクリーンに複数の画像フレームが所定の形式によって展開される。対象者がスクリーンに沿って移動経路を通り過ぎるときに、各画像フレームが順に切り換わるように見えることにより、広告情報の内容が動画として認識される。対象者の移動を前提とし、その移動中に所定数の画像フレームが必ず対象者に視認されて動画が完結できる。日常生活で見慣れたテレビ、映画などの映像ではないイメージにより斬新さを演出できる。錯視効果の強いアピールにより対象者との遠近が問題になりにくく、また、このような新たなイメージに対しては、新規な広告媒体および編集方式の適用などが期待できる。
【００２９】
請求項１３に記載の広告配信システムは、請求項１１または請求項１２に記載の発明において、前記ディスプレイ装置は、薄膜状に形成した有機エレクトロルミネッセンスパネル、液晶パネルまたはプラズマディスプレイをスクリーンとしたものであることを特徴とする。
【００３０】
請求項１３に記載の発明においては、ディスプレイ装置のスクリーンが有機エレクトロルミネッセンスパネルなどからなり、広告情報が受信されると、複数の画像フレームが静止画としてスクリーン上に展開される。このときに、印刷媒体のようにスクリーンを薄膜化、大型化でき、かつ、動画そのものよりもきわめて少ない情報量の電気信号として容易に送信、展開させることができる。
【００３１】
請求項１４に記載の広告配信システムは、請求項１１乃至請求項１３のいずれかに記載の発明において、前記対象者は、交通機関の搭乗者であって、路線わきのディスプレイ装置に配信された広告を当該交通機関の運行にともなって眺めていることを特徴とする。
【００３２】
請求項１４に記載の発明においては、当該交通機関の路線を対象者の移動経路として搭乗者による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、交通機関を都市の動脈として日常的に利用する乗降客を対象者とすることができる。このような設置環境として、上りおよび下り区間、郊外および都心駅を区別することなどが挙げられる。
【００３３】
請求項１５に記載の広告配信システムは、請求項１１乃至請求項１３のいずれかに記載の発明において、前記対象者は、通行人であって、当該通行人の移動にともなって、通路わきのディスプレイ装置に配信された広告を眺めていることを特徴とする。
【００３４】
請求項１５に記載の発明においては、当該通路を対象者の移動経路として通行人による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、公共の通路や動く歩道などを日常的に利用する通行人を対象者とすることができる。このような設置環境として、往路および復路区間、出入口および屋内ロビーを区別することなどが挙げられる。
【００３５】
請求項１６に記載の広告配信方法は、広告の媒体となるディスプレイ装置を対象者の移動経路上において各所に設置し、対象者の行動様式に合わせて、動画に関する広告情報を各ディスプレイ装置に配信する広告配信方法であって、
原画となる動画およびディスプレイ装置の設置環境に関する情報を各検索キーと関連付けて蓄積した広告データベースステップと、
広告の提供意図について顧客端末から依頼情報を電気通信回線を通じて受信するとともに、この依頼情報から前記検索キーを収集して顧客情報と関連付けつつ登録する依頼受付ステップと、
前記依頼受付ステップにおける検索キーによって、広告データベースの各情報を検索することにより、特定の動画から特定のディスプレイ装置に適した複数の画像フレームを構成して、特定の顧客情報と関連付けた広告情報を編成する画像編成ステップと、
前記依頼情報に基づく特定のタイミングに合わせて、当該顧客のための広告情報を電気通信回線を通じて各ディスプレイ装置に送信する画像送信ステップと、前記動画および設置環境の各検索キーならびに送信のタイミングに各経理情報を関連付けることにより、特定の顧客が依頼した広告に関する会計情報について当該顧客端末との決済処理を行う会計ステップとを有していることを特徴とする。
【００３６】
請求項１６に記載の発明においては、動画をソースデータとして、また、各ディスプレイ装置の設置環境を広告情報の配信条件として情報データベースステップで蓄積しておく。顧客端末から広告の提供意図を受信すると、依頼受付ステップにおいて、その提供意図が解析されて所定の検索キーを収集する。これにより、各検索キーを用いて適切な動画およびディスプレイ装置が選択され、画像編成ステップにおいて、各設置環境の特性に適した様式により、複数の画像フレームから配信用の広告情報が編成される。このような設置環境としては、たとえば、当該経路および装置のアドレス、装置性能、ディスプレイ装置と対象者との相対速度、単位区間における装置数、対象者トラフィックの推移などに関するデータが挙げられる。また、提供意図としては、ライセンス上の契約者、動画の分類、展示期間、合成などのための要素画像、また、広告がターゲットにしたい対象者について、通行時間帯、出発地域および行き先などの行動様式に関するデータが挙げられる。このように、あらかじめ対象者の行動様式を推定することにより、当該顧客の広告意図に適した設置環境のディスプレイ装置が選定され、動画が特定されて送信時刻など配信タイミングが設定される。広告情報が編成されると、画像送信ステップにおいて所定の配信タイミングで各ディスプレイ装置に配信される。そして、会計ステップで、当該検索キーおよび送信タイミングから、定期的にまたは随時に経理情報が検索され、依頼広告の会計情報として顧客端末に報告され、かつ、顧客ごとに決済処理が行われる。
【００３７】
請求項１７に記載の広告配信方法は、請求項１６に記載の発明において、前記ディスプレイ装置は、対象者の移動にともなう錯視効果によって広告情報を動画として認識させるものであることを特徴とする。
【００３８】
請求項１７に記載の発明においては、対象者の移動経路わきに設置されたディスプレイ装置に広告情報が送信されると、そのスクリーンに複数の画像フレームが所定の形式によって展開される。対象者がスクリーンに沿って移動経路を通り過ぎるときに、各画像フレームが順に切り換わるように見えることにより、広告情報の内容が動画として認識される。対象者の移動を前提とし、その移動中に所定数の画像フレームが必ず対象者に視認されて動画が完結できる。日常生活で見慣れたテレビ、映画などの映像ではないイメージにより斬新さを演出できる。錯視効果の強いアピールにより対象者との遠近が問題になりにくく、また、このような新たなイメージに対しては、新規な広告媒体および編集方式の適用などが期待できる。
【００３９】
請求項１８に記載の広告配信方法は、請求項１６または請求項１７に記載の発明において、前記ディスプレイ装置は、薄膜状に形成した有機エレクトロルミネッセンスパネル、液晶パネルまたはプラズマディスプレイをスクリーンとしたものであることを特徴とする。
【００４０】
請求項１８に記載の発明においては、ディスプレイ装置のスクリーンが有機エレクトロルミネッセンスパネルなどからなり、広告情報が受信されると、複数の画像フレームが静止画としてスクリーン上に展開される。このときに、印刷媒体のようにスクリーンを薄膜化、大型化でき、かつ、動画そのものよりもきわめて少ない情報量の電気信号として容易に送信、展開させることができる。
【００４１】
請求項１９に記載の広告配信方法は、請求項１６乃至請求項１８のいずれかに記載の発明において、前記対象者は、交通機関の搭乗者であって、路線わきのディスプレイ装置に配信された広告を当該交通機関の運行にともなって眺めていることを特徴とする。
【００４２】
請求項１９に記載の発明においては、当該交通機関の路線を対象者の移動経路として搭乗者による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、交通機関を都市の動脈として日常的に利用する乗降客を対象者とすることができる。このような設置環境として、上りおよび下り区間、郊外および都心駅を区別することなどが挙げられる。
【００４３】
請求項２０に記載の広告配信方法は、請求項１６乃至請求項１９のいずれかに記載の発明において、前記対象者は、通行人であって、当該通行人の移動にともなって、通路わきのディスプレイ装置に配信された広告を眺めていることを特徴とする。
【００４４】
請求項２０に記載の発明においては、当該通路を対象者の移動経路として通行人による定期的な行動様式を対象者の行動様式とする。この場合に、配信タイミングとしては、たとえば、サラリーマン向けの広告を通勤時に、学生向けの広告を午前中に、主婦、風俗関係者向けの広告を午後に設定することが挙げられ、かつ、公共の通路や動く歩道などを日常的に利用する通行人を対象者とすることができる。このような設置環境として、往路および復路区間、出入口および屋内ロビーを区別することなどが挙げられる。
【００４５】
請求項２１に記載のプログラムは、請求項６乃至請求項１０または請求項１６乃至請求項２０のいずれかに記載の広告配信方法をコンピューターに実行させるためのプログラムである。
【００４６】
請求項２１に記載の発明においては、請請求項６乃至請求項１０または請求項１６乃至請求項２０のいずれかに記載の方法をコンピューターに実行させることができる。
【００４７】
請求項２２に記載の記録媒体は、請求項６乃至請求項１０または請求項１６乃至請求項２０のいずれかに記載の広告配信方法をコンピューターに実行させるためのプログラムが記録されていることを特徴とするコンピューター読み取り可能な記録媒体である。
【００４８】
請求項２２に記載の発明においては、請求項６乃至請求項１０または請求項１６乃至請求項２０のいずれかに記載の方法をコンピューターに実行させることができる。
【００４９】
【発明の実施の形態】
以下、本発明の実施の形態を図面を参照して説明する。
図１は、本発明の実施の形態に係る広告配信システムの概略構成例を説明するための図である。
本システムは、コマーシャル映像（動画）などが蓄積された管理サーバー（情報データベース手段）１０を情報源とし、広告配信事業者が、対象者の錯視効果による動画広告を複数の静止画から作成するとともに、この広告情報を対象者の日常の行動様式に合わせながら配信するものである。このために、顧客会員と折衝する応答サーバー（依頼受付手段）２０と、静止画の画像フレームを配信する画像サーバー（画像編成手段、画像送信手段）３０とをローカルエリアネットワーク（ＬＡＮ）ＮＷ１を通じて当該管理サーバー１０と相互接続させたシステムを構成している。以下、都市の動脈である地下鉄路線のトンネル内における広告の場合を一例として説明する。
【００５０】
応答サーバー２０には、各会員の顧客端末４０・・・４０群がインターネットＮＷ２（電気通信回線）を通じて、また、画像サーバー３０には、広告のディスプレイ装置５０・・・５０群がイントラネットＮＷ３（電気通信回線）を通じて、それぞれ接続可能になっている。このような会員としては、広告を依頼する広告主、広告代理店などと、ディスプレイ装置を製造する装置メーカーと、装置の設置スペースを提供する鉄道会社などと、装置の保守を行うメインテナンス会社が挙げられる。なお、ローカルエリアネットワークＮＷ１を、当該配信事業者のイントラネットにより構成しても、また、ディスプレイ装置５０・・・５０群を含めたエクストラネット、インターネットから構成してもよい。さらに、イントラネットＮＷ３を、ディスプレイ装置５０・・・５０群を管理する専用システムと接続可能なエクストラネット、インターネットにより構成してもよい。
【００５１】
応答サーバー２０は、各顧客端末４０と相互に通信することによって、広告主などからコマーシャル映像に関する映像データおよび広告の提供意図に関する依頼データ、地下鉄会社から提供スペースに関するスペースデータ、装置メーカーからディスプレイ装置５０に関する装置データ、メインテナンス会社から設置および保守作業に関する作業データを受信するデータ受付機能と、これらの受信情報に対応させて、広告主に対してライセンスの直販情報、広告代理店に対してライセンス販売の委託情報、地下鉄会社に対して設置スペースの受託情報、装置メーカーに対して購入情報、メインテナンス会社に対して設置作業などの承認情報をそれぞれ送信する業務契約機能と、この業務契約機能の送信情報ごとに情報受付機能の各受信データを関連付けて取扱金融機関の口座振替システムとリンクさせる電子決済機能とを有している。
【００５２】
管理サーバー１０は、映像データを蓄積する映像データベース１１と、装置データ、作業データおよびスペースデータを蓄積する装置データベース１２とを有している。さらに、広告主などの映像データを管理サーバー１０に登録する映像登録機能、同じく、装置データを登録して作業データにより更新する装置登録機能、スペースデータを登録するスペース登録機能と、登録された映像データを各映像属性とともに映像データベース１１に、また、同じく装置データをスペースデータとともに装置データベース１２に蓄積し、それぞれを会員ごとに管理するデータ蓄積機能と、広告主などの依頼データについて検索キーなどを解析するとともに、会員番号、映像属性およびスペースデータなどの各検索キーによって、特定の映像データおよび装置データをそれぞれ検索するデータ検索機能とを有している。また、図示しない広告配信事業者の会計システムと接続させることによって、会計システムの経理情報を各ディスプレイ装置のスペースデータとリンク可能に構成してある。
【００５３】
画像サーバー３０は、映像属性の検索キーにより特定された映像データについて、その映像属性に基づいて各映像データから複数の画像フレームを編成する画像編成機能と、スペースデータの検索キーにより特定のディスプレイ装置５０を選択し、かつ、その装置データおよびスペースデータに基づいて画像フレームの編成様式を当該ディスプレイ装置５０に適合させる装置適合化機能と、装置データおよびスペースデータに適合した所定の配信タイミングにより、当該ディスプレイ装置５０に各画像フレームを送信する画像送信機能とを有している。
【００５４】
ディスプレイ装置５０は、地下鉄の車両が駅間のトンネル内を走行する場合に、車内の乗客に路線わきの広告スクリーンを動画として鑑賞させるものである。たとえば、細長い半円柱状凸レンズ群を柵状にして路線方向に並べた薄膜をなすレンチキュラーフィルターを構成し、広告スクリーンの表示面を覆うようにして貼り付けたものが挙げられる。このレンチキュラーフィルターをレンチキュラーともいう。また、発光、照明、バックライトによって照射光、反射光または透過光を生じるものである。これにより、乗客が車両とともに路線方向に移動すると、車窓から凸レンズを見とおす方向が変化する。このときに、画像フレームを細片化して路線方向においてコマ送り順に配置すれば、広告スクリーン全体としては、一の画像フレームから他の画像フレームに移り変わるように視認でき、したがって、車内の乗客に動画として認識させることができる。
【００５５】
次に、本実施の形態に係る広告配信方法の一例を、図２に示すフローチャートの一例および図１に示す図を参照しつつ説明する。
以下、広告ライセンスが広告主に直販される場合を一例として説明する。あらかじめ、広告主、広告代理店、広告制作会社が必要なコマーシャル映像を映像登録機能によって、装置メーカーなどが装置データを装置登録機能によって、また、地下鉄会社がスペースデータをスペース登録機能によってそれぞれ管理サーバー１０に登録してある。これらは業務開始の前準備であって、これにより、各ディスプレイ装置５０について地下鉄会社と設置契約を、また、映像データベース１１および装置データベース１２において所定のデータ蓄積の各処理を終了しているものとする。
【００５６】
まず、広告主が、顧客端末４０により特定の広告に関する契約手続きを行う（ステップＳＴ１１）。すなわち、顧客端末４０から広告主の依頼データが受信されると、応答サーバー２０により、業務契約の直販情報が広告主の顧客端末４０に送信される。そして、管理サーバー１０のデータ検索機能により、この依頼データに基づいて必要な検索キーが解析される（ステップＳＴ１２）。また、検索キーの解析結果につき、当該顧客端末４０と対話しつつ直販情報を編成させる構成にしてもよい。続いて、管理サーバー１０により、特定の映像データおよび装置データが選択される（ステップＳＴ１３）。すなわち、解析された検索キーによって、映像データベース１１および装置データベース１２から、広告主が希望するコマーシャル映像が設定され、その広告意図に基づくディスプレイ装置５０が特定される。また、この装置５０に適合した編成様式が設定される。
【００５７】
つぎに、画像サーバー３０により、該当する映像データおよび映像属性、装置データおよびスペースデータに基づく広告情報の配信を行う（ステップＳＴ１４）。すなわち、画像編成機能において、映像データを各種メディア加工用ソフトウェアによりコマ送り仕様の静止画像とすることによって、アニメーション効果を与える複数の画像フレームに変換できる。このときに、デジタル画像からなる多様なコマーシャル映像群を映像データベース１１に蓄積しておき、広告主ごとに、路線、展示箇所、展示期間、枚数などを仕分けながら、フレーム数、拡大補正などの編集を行えば適切に管理できる。また、当該スペースデータから、依頼データに適合した配信タイミングが設定される。たとえば、展示場所、期間、時間帯、特定の車両が通過する時刻を設定するなどして多様なスケジュールの配信ができる。また、複数のディスプレイ装置５０群について、配信タイミングを同期させ、あるいは順にずらすように構成してもよい。
【００５８】
続いて、応答サーバー２０により、当該広告の配信業務についてライセンスフィーの決済処理を行う（ステップＳＴ１５）。すなわち、図示しない取扱金融機関の口座振替システムにアクセスし、あらかじめ広告主が登録した口座番号に、当該広告主の会計情報を振り替える。この決済処理は、まとめて定期的に、または別途随時に行う構成としてもよい。以上の後処理としては、当該広告ライセンスについて、広告主の依頼データおよび会計情報に処理済のマーキングをさせればよい。
【００５９】
【発明の効果】
以上説明したように、請求項１に記載の広告配信システムによれば、広告意図に適したディスプレイ装置に対して、所定の動画が適切な配信タイミングで配信される。したがって、対象者の移動経路上において、その行動様式に合わせた広告が可能な広告配信システムを提供できるようになる。
【００６０】
請求項２に記載の広告配信システムによれば、請求項１に記載の発明と同様の効果を得ることができるのは勿論のこと、対象者の移動経路わきに、新たな広告環境を提供できるとともに、多くの対象者に対して高い宣伝効果が期待できる。
【００６１】
請求項３に記載の広告配信システムによれば、請求項１または請求項２に記載の発明と同様の効果を得ることができるのは勿論のこと、新たな素材のスクリーンによって、印刷媒体のように効率的な広告ができるようになる。
【００６２】
請求項４に記載の広告配信システムによれば、請求項１乃至請求項３のいずれかに記載の発明と同様の効果を得ることができるのは勿論のこと、交通機関を移動経路とする対象者について、その行動様式に合わせた配信ができるようになる。
【００６３】
請求項５に記載の広告配信システムによれば、請求項１乃至請求項４のいずれかに記載の発明と同様の効果を得ることができるのは勿論のこと、通路を移動経路とする対象者について、その行動様式に合わせた配信ができるようになる。
【００６４】
請求項６に記載の広告配信方法によれば、広告意図に適したディスプレイ装置に対して、所定の動画が適切な配信タイミングで配信される。したがって、対象者の移動経路上において、その行動様式に合わせた広告が可能な広告配信方法を提供できるようになる。
【００６５】
請求項７に記載の広告配信方法によれば、請求項６に記載の発明と同様の効果を得ることができるのは勿論のこと、対象者の移動経路わきに、新たな広告環境を提供できるとともに、多くの対象者に対して高い宣伝効果が期待できる。
【００６６】
請求項８に記載の広告配信方法によれば、請求項６または請求項７に記載の発明と同様の効果を得ることができるのは勿論のこと、新たな素材のスクリーンによって、印刷媒体のように効率的な広告ができるようになる。
【００６７】
請求項９に記載の広告配信方法によれば、請求項６乃至請求項８に記載の発明と同様の効果を得ることができるのは勿論のこと、交通機関を移動経路とする対象者について、その行動様式に合わせた配信ができるようになる。
【００６８】
請求項１０に記載の広告配信方法によれば、請求項６乃至請求項９のいずれかに記載の発明と同様の効果を得ることができるのは勿論のこと、通路を移動経路とする対象者について、その行動様式に合わせた配信ができるようになる。
【００６９】
請求項１１に記載の広告配信システムによれば、広告意図に適したディスプレイ装置に対して、所定の動画が適切な配信タイミングで配信され、かつ、当該広告について顧客との決済処理がなされる。したがって、対象者の移動経路上において、その行動様式に合わせた広告が可能な広告配信システムを提供できるようになる。
【００７０】
請求項１２に記載の広告配信システムによれば、請求項１１に記載の発明と同様の効果を得ることができるのは勿論のこと、対象者の移動経路わきに、新たな広告環境を提供できるとともに、多くの対象者に対して高い宣伝効果が期待できる。
【００７１】
請求項１３に記載の広告配信システムによれば、請求項１１または請求項１２に記載の発明と同様の効果を得ることができるのは勿論のこと、新たな素材のスクリーンによって、印刷媒体のように効率的な広告ができるようになる。
【００７２】
請求項１４に記載の広告配信システムによれば、請求項１１乃至請求項１３のいずれかに記載の発明と同様の効果を得ることができるのは勿論のこと、交通機関を移動経路とする対象者について、その行動様式に合わせた配信ができるようになる。
【００７３】
請求項１５に記載の広告配信システムによれば、請求項１１乃至１４のいずれかに記載の発明と同様の効果を得ることができるのは勿論のこと、通路を移動経路とする対象者について、その行動様式に合わせた配信ができるようになる。
【００７４】
請求項１６に記載の広告配信方法によれば、広告意図に適したディスプレイ装置に対して、所定の動画が適切な配信タイミングで配信され、かつ、当該広告について顧客との決済処理がなされる。したがって、対象者の移動経路上において、その行動様式に合わせた広告が可能な広告配信方法を提供できるようになる。
【００７５】
請求項１７に記載の広告配信方法によれば、請求項１６に記載の発明と同様の効果を得ることができるのは勿論のこと、対象者の移動経路わきに、新たな広告環境を提供できるとともに、多くの対象者に対して高い宣伝効果が期待できる。
【００７６】
請求項１８に記載の広告配信方法によれば、請求項１６または請求項１７に記載の発明と同様の効果を得ることができるのは勿論のこと、新たな素材のスクリーンによって、印刷媒体のように効率的な広告ができるようになる。
【００７７】
請求項１９に記載の広告配信方法によれば、請求項１６乃至請求項１８のいずれかに記載の発明と同様の効果を得ることができるのは勿論のこと、交通機関を移動経路とする対象者について、その行動様式に合わせた配信ができるようになる。
【００７８】
請求項２０に記載の広告配信方法によれば、請求項１６乃至請求項１９のいずれかに記載の発明と同様の効果を得ることができるのは勿論のこと、通路を移動経路とする対象者について、その行動様式に合わせた配信ができるようになる。
【００７９】
請求項２１に記載の記録媒体によれば、請求項６乃至請求項９のいずれかに、または請求項１６乃至請求項１９のいずれかに記載の広告配信方法をコンピューターにより実行させることができる。
【００８０】
請求項２２記載のコンピューターによれば、請求項６乃至請求項９のいずれかに、または請求項１６乃至請求項１９のいずれかに記載の広告配信方法を実行させることができる。
【図面の簡単な説明】
【図１】本発明の実施の形態に係る広告配信システムの概略構成を説明するための図である。
【図２】本発明の実施の形態に係る広告配信方法の工程例を示すフローチャートである。
【符号の説明】
１０  管理サーバー（情報データベース手段）
１１  映像データベース
１２  装置データベース
２０  応答サーバー（依頼受付手段）
３０  画像サーバー（画像編成手段、画像送信手段）
４０  顧客端末
５０  ディスプレイ装置
ＮＷ１  ローカルエリアネットワーク
ＮＷ２  インターネット（電気通信回線）
ＮＷ３  イントラネット（電気通信回線）
【図１】
2005003966.tif 000003
【図２】
2005003966.tif 000004